Podtech/llm-jp-corpus-v4-ja_patent huggingface dataset:
(57)【要約】【課題】故人の写真と位牌様式カードを、写真立ての中で一体化させた写真立て型のカード仏壇を提供する。【解決手段】ガラス（１）の写真立て（２）の裏面に、写真（３）をつけ、別の場所に位牌様式カード（７）をつけ、表側面にかまぼこ形状レンズ（５）を組み入れたかまぼこ形状ガラス（４）を設け、ガラス（１）の写真立て（２）と一体化させたことを特長とする。【選択図】　図２
2004057777.tif 000002
【特許請求の範囲】
【請求項１】
写真立て（２）の側面に設けた、かまぼこ形状ガラス（４）に組み入れたかまぼこ形状レンズ（５）を通して、写真立て（２）の位牌様式カード（７）を見る、写真立て型のカード仏壇。
【発明の詳細な説明】
【０００１】
【発明の属する技術分野】
この発明は、写真と位牌様式カードを、写真立ての中で一体化させた、写真立て型のカード仏壇に関するものである。
【０００２】
【従来の技術】
従来よりの仏壇は、据え置き型の大型で、居室の一部を占有していた。また、仏壇の中の位牌と故人の写真は離れた場所に置かれていた。
【０００３】
【発明が解決しようとする課題】
これは次のような欠点があった。
イ、手狭な居室では置き場所に困惑した。
ロ、転居に際しての移動には、移動中の破損の心配と、移転先での置き場所に不安を感じた。
ハ、旅行や出張、イベント会場へ、故人の写真と位牌を同時に携行したい人たちには、気軽に携行できない不満があった。
ニ、身近に、どこにでも置けて、いつでも故人を敬い、偲ぶことには不自由だった。そのために故人との縁が薄れがちになった。
ホ、仏壇を他人の目にふれさせたくない人たちは困惑した。
ヘ、位牌と故人の写真を同時に、一目で見れないもどかしさがあった。
ト、軽便で、機能性に優れた仏壇を希望する、とくに若者たちは敬遠した。
本発明は、これらの欠点や不満を解決するために発明されたものである。
【０００４】
【課題を解決するための手段】
ガラス（１）の写真立て（２）の裏面に、写真（３）を入れる写真安定板（６）を設け、同じように、位牌様式カード（７）を入れる位牌様式カード安定板（８）を設ける。
ガラス（１）の写真立て（２）の表側面に、かまぼこ形状レンズ（５）を組み入れたかまぼこ形状ガラス（４）があり、かまぼこ形状ガラス（４）は、上下が蓋状で、中は空洞の形になっており、ガラス（１）の写真立て（２）とは一体化されている。
本発明は、以上の構成からなる写真立て型のカード仏壇である。
【０００５】
【発明の実施の形態】
以下、本発明の実施の形態について説明する。
ガラス（１）の写真立て（２）の裏面に、故人の写真（３）を入れた薄くて透明なアクリル板、またはプラスチック板、ガラス板を用いた写真安定板（６）が設けられ、その中に故人の写真（３）が収納されている。
また、ガラス（１）の写真立て（２）の裏面に設けられた写真安定板（６）とは別の場所に、故人の位牌様式カード（７）を収納する位牌様式カード安定板（８）が設けられている。なお、位牌様式カード安定板（８）は、上記の写真安定板（６）と同質の素材でできている。
ガラス（１）の写真立て（２）の表側面に設けられたかまぼこ形状ガラス（４）は、写真立て（２）と一体化されており、かまぼこ形状ガラス（４）と写真立て（２）との空間を利用し、かまぼこ形状レンズ（５）から位牌様式カード（７）が拡大して見れる。
位牌様式カード（７）は、薄板や紙、写真やプラスチックを素材として用い、縦長の表面には位牌の姿図の中に戒名。裏面には卒日、俗名、卒日の年齢を手書き、または印刷で記入されている。なお、位牌様式カード（７）の裏面は、位牌様式カード安定板（８）が透明なため、取り出して見る手数が省ける。
かまぼこ形状レンズ（５）を組み入れた、かまぼこ形状ガラス（４）は、位牌様式カード（７）を見易くすることに加えて、位牌様式カード（７）の尊厳性を高める付加価値もある。
写真立て（２）を安定させる台座は、写真立て（２）とは別個のもので、必要に応じて写真立て（２）から手軽に着脱できる。
写真立て（２）は、壁掛けや携行もできる卓上型で、寺院での入魂もできるので、従来の仏壇と変わらない尊厳性がある。
【０００６】
【発明の効果】
本発明を使用することによって、位牌様式カードと故人の写真が一体化された写真立てになり、機能性に優れて便利な卓上型、また携行型のミニ仏壇にすることができた。
また、高価で大型仏壇の入手に困惑していた人たちにとっては、無理をしないで、身近に故人の姿に接することができ、いつでも、どこででも、故人を偲べる機会を多くした。
さらに、小型で軽量な写真立て型カード仏壇は、置き場所や移動の際の不安を解消し、未来指向性の仏壇として、若者にも歓迎される。
【図面の簡単な説明】
【図１】本発明の斜視図
【図２】本発明の要部断面図
【図３】本発明の要部正面図
【符号の説明】
１　ガラス
２　写真立て
３　写真
４　かまぼこ形状ガラス
５　かまぼこ形状レンズ
６　写真安定板
７　位牌様式カード
８　位牌様式カード安定板
【図１】
2004057777.tif 000003
【図２】
2004057777.tif 000004
【図３】
2004057777.tif 000005
(57)【要約】【課題】従来、鋳鉄製品の鋳造時に原料に配合し使用する以外に用途のなかった鋳鉄製品の仕上げ工程で発生する切削屑の有効利用を図る。【解決手段】鋳鉄製品の切削屑を、そのまま、または粉末にして通気性のある紙袋などの容器に収納するか、プレスなどで固形化し、または５００〜９００℃で焼成した後、そのまま，または粉末化，固形化し、消臭材として製品化する。【特許請求の範囲】
【請求項１】
鋳鉄製品の製造工程で発生した鋳鉄製品切削屑よりなる消臭材。
【請求項２】
鋳鉄製品の製造工程で発生した鋳鉄製品切削屑を５００〜９００℃で焼成してなる鋳鉄製品切削屑よりなる消臭材。
【発明の詳細な説明】
【０００１】
【発明の属する技術分野】
本発明は、産業廃棄物である鋳鉄製品、主としてねずみ鋳鉄，ダクタイル鋳鉄，可鍛鋳鉄，ＣＶ黒鉛鋳鉄などで鋳造した鋳鉄製品の製造工程で発生する切削屑の有効利用に関するものである。
【０００２】
【従来の技術】
鋳鉄製品は、日本工業規格にねずみ鋳鉄（ＪＩＳ　Ｇ５５０１），球状黒鉛鋳鉄（ＪＩＳ　Ｇ５５０２），黒心可鍛鋳鉄（ＪＩＳ　Ｇ５７０２），パーライト可鍛鋳鉄（ＪＩＳ　Ｇ５７０４）などが規格化されており、含有される黒鉛の形状により区分され、多くの工業製品、建設・構築用資材の製品がこれらの規格により鋳造されている。一般に鋳鉄製品は、鋳造後完成品に仕上げるに際し、湯口・バリなどを切断除去した後、切削用の工作機械を使用して切削加工することが行なわれているが、湯口・バリなどは鋳造の原料として再利用されるが、切削加工時に発生する切削屑も同様鋳造時の原料に配合することにより再利用されてきた。
【０００３】
【発明が解決しようとする課題】
本発明は、従来鋳造用の原料に配合して再使用する以外に用途の無く、脆く粉末になりやすく、その取り扱いには塵埃が混入しないよう、また、赤錆が発生しやすいので、再生利用するにも保管、輸送などに注意が必要であった鋳鉄製品の切削屑の有効利用を図ることを目的とするものである。
【０００４】
【課題を解決するための手段】
本発明は、上記の如く従来鋳造時に原料の一部としてしか用途の無かった切削屑の有効利用を図ろうとするもので、その成分である鉄および黒鉛の持つ消臭作用を利用した消臭材を提供しようとするものである。
【０００５】
【発明の実施の形態】
本発明は、鋳鉄製品の仕上加工である切削加工時に発生する切削屑を、そのまま容器に収納し、または取り扱いの容易な大きさに固形化し、消臭材とせるものである。
【０００６】
切削屑の固形化は、プレスなどで成型すればよく、成型時にバインダーとしてステアリン酸亜鉛などを配合しても良い。
【０００７】
また、切削屑は、そのままでは鋳鉄が空気中の酸素により酸化され酸化鉄となり赤錆が発生し、商品的価値が損なわれ、また他の物品を汚す恐れがあるので、５００〜９００℃で加熱処理して安定性のある酸化鉄とすることが望ましい。
【０００８】
なお、切削屑は通気性のある袋などの容器に収納し、消臭材として使用するも差し支えない。
【０００９】
【実施例】
実施例について説明すると、
（実施例１）　建設機材のマンホールなど地下構築物の出入り口に設けられるダクタイル鋳鉄（球状黒鉛鋳鉄ＦＣＤ）で鋳造された鋳鉄蓋の仕上げ時に発生する切削屑を、約７ｔ／ｃｍ２の圧力で直径約５０ｍｍ、厚さ約１５ｍｍの円盤状に固形化し製品とした。
【００１０】
得られた製品を冷蔵庫の消臭材として用いたところ、従来使用していた活性炭製品に遜色のない脱臭効果がえられた。
【００１１】
（実施例２）　また、ねずみ鋳鉄（片状黒鉛鋳鉄ＦＣ）で鋳造された製品より発生した切削屑を、約８００℃で加熱処理後、上記実施例同様固形化し、消臭材とした。
【００１２】
上記、実施例１．の製品同様に脱臭効果が認められるとともに、上記実施例１．の製品は赤錆が発生したが、加熱処理せる本実施例の製品は赤錆が発生せず、効果が実施例１．の製品よりも持続した。
【００１３】
【発明の効果】
本発明は、以上説明したような形態で実施され、以下に記載されるような効果を奏する。
【００１４】
従来、同じ鋳鉄製品の鋳造の原料としてのみ用途が無かった切削屑を、付加価値の高い製品として提供できる。
(57)【要約】　　　（修正有）【課題】目の回りの筋肉疲労、及び緊張を和らげる高周波を用いないバイブレーション（微振動）によるマッサージ眼鏡を提供する。【解決手段】眼鏡（サングラス風ゴーグル含む）の中央部に電源２を組み込んだバイブレーションキット１を取り付け、このバイブレーション（微振動）が眼鏡フレームに伝わり、更に目の回りのクッション材６Ａと眼鏡を４支点で固定するためのクッション材６Ｂを伝わった微振動を疲労、緊張した目回りの筋肉に柔らかなマッサージ効果を与える。【選択図】　　図２
2004057791.tif 000002
【特許請求の範囲】
【請求項１】
眼鏡（サングラス含む）に電動バイブレーションキット（振動器）を取り付け、この振動による目の回りのマッサージ効果を意識された眼鏡。
【発明の詳細な説明】
【０００１】
【産業上の利用分野】
本発明は、各種パソコン使用業務に於て、近年ますます増加しつつある目の回りの筋肉疲労、及び緊張を癒す目的で電動バイブレーションキット（振動器）を取り付けた眼鏡（サングラスを含む）である。
【０００２】
【従来の技術】
従来、長時間、又は頻繁に使用するパソコン業務に於て発生する目の回りの過度疲労、緊張に対してそれぞれ自らの指により指圧で落ち着かせた。又マッサージ治療院等に於ける治療では、時に高周波マッサージ器具にて目の疲労を癒す方法を取られていた。
【０００３】
【本発明が解決しようとする課題】
従来次のような欠点があった。
（イ）従来疲労を感じた自分の目回りを、自身の指でマッサージをしているが、目を擦ったり、押さえたりするために、時にいろいろな雑菌が目の中に混入し、思いがけない眼病を生ずる事があった。特に学童、中学、高校生など子供たちには十分過ぎるくらい注意すべきであったにも関わらず、目回りの疲労という意識が理解できず、つい不潔な状態のまま指で擦っている現状である。
（ロ）マッサージ治療院等に於ける通院マッサージの場合、まず多額な費用が掛り、基本的には他人による指圧マッサージである。更に過度な目回り疲労には、高周波マッサージ器を利用するために最も近接している脳波に対する悪影響が心配されていた。
本発明は、これらの欠点を除くためになされたものである。
【０００４】
【問題を解決するための手段】
本発明は自分自身の指、又他人の指を使わなく目に接近した目の回りの皮膚面に軽く接するスポンジ、又は柔らかいゴム質系クッション材に電動バイブレーション（振動器）の微振動を伝え、目、及び目回りの自律神経をマッサージするものである。
脳波に悪影響を及ぼす可能性のある高周波による自律神経を刺激する機器を使用するものでなく心地良いバイブレーション器（振動器）による微振動により目回りの疲労を癒す器具を使用して手軽に且つ安全に作用させるものである。
【０００５】
【実施例】
図１はレンズ、及びカラーレンズ（４）をはめ込んだ眼鏡フレーム（３）の中央部に乾電池、又は充電蓄電池ＳＥＴ（２）組み込んだ小型バイブレーションキット構造（１）を取り付けたものを眼鏡フレーム（３）の中央部に固定される。この小型バイブレーションキットの下部には振動の強弱を設定されるスイッチ（７）が取り付けられてあり、目回りの疲労度合いで、振動強弱の調整が出来る状態である。
【０００６】
図２はマッサージ眼鏡フレーム（４）の裏面にあたり、直接顔に接する面を表わしており、目の回りに接するウレタン、及びスポンジ状のクッション材（６Ａ）を張り付けされ、更に眼鏡フレーム（４）を４支点で安定させる目的で頬の上、及び顔の横（こめかみ）で固定する目的のゴム質クッション材（６Ｂ）を取り付けてある。
【０００７】
マッサージ眼鏡フレームの両端にはマジックチャックの付いた伸縮ゴム質ベルト（５）を取り付け、このマッサージ眼鏡フレームを着用する際にしっかりと頭の後ろで巻くように着用する。
【０００８】
【作用】
電源となる乾電池、水銀電池、又は充電蓄電池を（２）の電池ＢＯＸにセット行ない、普通の眼鏡（サングラス風ゴーグル）と同じように目に合わせ、マジックベルト（５）を頭の後ろに囲むようにしてマッサージ眼鏡をしっかりと着用し、小型バイブレーションキット（１）の下部に取り付けてある振動始動スイッチ（７）を入れる。微振動が発動、この微振動がマッサージ眼鏡フレーム（３）全体に伝わりそして皮膚面に接する目回りのクッション材（６Ａ）、ならびに眼鏡固定４支点クッション材（６Ｂ）を通した柔らかい振動を受け、目の回りの疲れを緩和することが出来る。
【０００９】
【考案の効果】
従来、パソコン等、などコンピューター依存の現在、ほぼ毎日就寝の際に目、及び目回りに疲労、緊張の症状が現れます。この現代病的疲労に対して、毎日５分〜１０分程度、本発明のマッサージ眼鏡を着用して、目回りを癒すことが出来、皮膚にも、精神的にも落ち着きと安らぎを戻せます。高周波マッサージのように脳波に影響される可能性の危惧心も無く、又、衛生に無関心な学童、学生など子供達にもなんら抵抗無く着用がスムーズと言えます。
レンズカ所（４）には、カラーレンズを組み込みこのマッサージ眼鏡を着用された状態で、通常の業務、又は、家事をこなすことも可能である。
【図面の簡単な説明】
【図１】本発明の正面図である。
【図２】本発明の裏面図である。
【図３】本発明の上面図である、
【図４】本発明の側面図である、
【符号の説明】
（１　）バイブレーション（振動）ボックス
（２　）電源ボックス（乾電池、及び水銀電池、及び充電電池）収納
（３　）マッサージ眼鏡フレーム本体
（４　）レンズ部
（５　）眼鏡本体着用　用マジックベルト
（６Ａ）目回りクッション材
（６Ｂ）眼鏡フレーム固定クッション材
（７　）バイブレーション発動スイッチ
【図１】
2004057791.tif 000003
【図２】
2004057791.tif 000004
【図３】
2004057791.tif 000005
【図４】
2004057791.tif 000006
(57)【要約】【課題】電力等のエネルギー動力源を必要とせず、背当てとひじ掛けを作動源として腿裏と背中のつぼ押しマッサージを行うストレッチ健康椅子を提供する。【解決手段】背当て４とひじ掛け３を作動源として腿裏と背中のつぼ押しマッサージを行うことを特徴とする背当てとひじ掛けを有する椅子であって、尻板２に腰をかけ、背当て４に背をもたれることによって尻板２から押圧突起９を突き出して腿裏のつぼを押圧刺激し、ひじ掛け３を押し下げることにより、背当て４からばね付き押圧突起１４が突き出て背中のつぼを押圧刺激する構成により、腿裏と背中のつぼ押しストレッチを行うこと特徴とした。【選択図】　　　　図１
2004057757.tif 000002
【特許請求の範囲】
【請求項１】
背当て４とひじ掛け３を作動源として腿裏と背中のつぼ押しマッサージを行うことを特徴とする椅子であって、尻板２に腰をかけ、背当て４に背をもたれることによって尻板２から押圧突起１０を突き出して腿裏のつぼを押圧刺激することと、ひじ掛け３を押し下げることにより背当て４からばね付き押圧突起１４が突き出て背中のつぼを押圧刺激することの構成により、つぼ押しマッサージと身体のストレッチを行うこと特徴としたつぼ押しストレッチ健康椅子。
【発明の詳細な説明】
【０００１】
【発明の属する技術分野】
本発明は、電力等のエネルギー動力源を必要とせず、背当てとひじ掛けを作動源として腿裏と背中のつぼ押しマッサージを行うことを特徴とするつぼ押しストレッチ健康椅子に関する。
【０００２】
【従来の技術】
背中のつぼを押圧する椅子式のマサージ器については、従来電動で回動するベルトに複数個のローラーを枢着して背中の背骨に沿って往復移動させる電動式のものが提案されている。
【０００３】
【発明が解決しようとする課題】
従来の電動式のものは、動力の電力を必要とするので経費がかかり、背中の押圧はできても腿の裏をマッサージすることは出来ず、又、全体がかなりの重量物となるため、家庭内では場所を取るのみならず、簡単に移動することは困難で、手軽に利用することが出来ず、ついつい使用することなく部屋の片隅に捨て置くことが多い現状にある。
【０００４】
本発明は、電気等のエネルギー動力を必要とせず、通常の状態で単に腰を掛け体重を持たせるのみで、腿裏と背中のつぼ押しが簡単に出来る軽量安価で簡単構造のマッサージ用の椅子を提供するものである。
【０００５】
【課題を解決するための手段】
本発明は、電気動力なしに背当て４とひじ掛け３を作動源として腿裏と背中のつぼ押しマッサージを行うことを特徴とする椅子であって、尻板２に腰かけ、背当て４に背をもたれることによって尻板２から押圧突起１０を突き出して腿裏のつぼを押圧刺激し、ひじ掛け３を押し下げることにより、背当てからばね付き押圧突起１４が突き出て背中のつぼを押圧刺激することの構成により、リラックスしながら身体のストレッチを行うことを特徴としたものである。
【０００６】
【発明の実施の形態】
本発明構成特徴の実施例を説明すると、脚１付きの尻板２と両脇にひじ掛け３，３とを有する背当て板４とからなる通常の椅子を基本とする。
【０００７】
背当て４とひじ掛け３，３を有する椅子に於て、背当て板４の下縁は、尻板２の後縁に揺動自在に枢着して、後方に突出する２個の鈎形作動板５を形成し、当該鈎形作動板５の後下端は、尻板２の下側に懸吊した支点軸６に支点を有するてこ板７の後端に一体に固定すると共に、てこ板７の前部に尻板２に穿設した数個の座ぐり穴８，８に挿入させた押圧突起９の下端を当接せしめる。
【０００８】
次に、ひじ掛け３，３の後部を背当て板４の両脇に枢着して、その後部突出端に、湾曲押し板１０を固定した作動軸１１の両端を橋架固定し、湾曲押し板１０の上下端は、背当て板４の背部に、上下のばか穴１２ａに通したルーズピン１２で保持した押圧板１３に当接せしめ、当該押圧板１３には、背当て板４に穿設した座ぐり穴１４ａに挿入したばね付き押圧突起１４の後端を当接せしめた構成とした。湾曲押し板１０の上下端にはローラー１０ａ，１０ａを設けるも良い。
【０００９】
使用に当たっては、尻板２に腰かけ、背当て４に背をもたれかけ、体重による荷重負荷をかけると、背当て４の後方に突出する鈎形作動板６が力点となっててこ板７の後端を押し下げ、支点軸６を支点として作用点となるてこ板７の前端を押し上げ、これに当接せしめた押圧突起９を突き上げる。
【００１０】
そして尻板２の上に位置する腿の裏のつぼを押圧刺激する。刺激する強さは、背当て４にかける体重負荷の大小により自分なりに調節することが出来る。
【００１１】
次に、ひじ掛け３を押し下げると、後端の作動軸１１の湾曲押し板１０が押圧板１３を押し出し、この押圧板１３がばね付き押圧突起１４を突き出して背中のつぼを押圧刺激する。その強さは、ひじ掛け３にかける力の大きさで自分なりに調節する。
【００１２】
押圧板１３は、湾曲押し板１０が押圧する毎に、ばか穴１２ａにより、保持されたルーズピン１２の長さ範囲で前後に動く。
【００１３】
即ち、尻板２に腰かけるだけで、背当て４に背をもたれ、ひじ掛け３に力をかけることによって尻板２から突き出る押圧突起９と背当て４から突き出るばね付き押圧突起１４によって、腿裏のつぼ及び背中のつぼを自分に適した強さの押圧刺激でつぼ押しマッサージが簡単に出来、しかも電力等の高価なエネルギー動力を全く必要とせずに、リラックスして身体のストレッチを簡単に行うことが出来る。
【００１４】
なお、ひじ掛け３に、尻板２と湾曲押し板１０の動作を一体にリンクさせることもよく、この場合は、ひじ掛け３の一動作で背中のつぼと腿裏のつぼを同時に押圧刺激が出来る。
【００１５】
【発明の効果】
本発明によれば、通常の椅子のように単に腰をかけて適宜な体重をかけるのみで、腿裏のつぼ及び背中のつぼを自分に適した強さの押圧刺激でつぼ押しマッサージが簡単に出来る効果と共に、電力等の高価なエネルギー動力を全く必要とせずにリラックスして身体のストレッチを簡単に行うことが出来る効果がある。
【図面の簡単な説明】
【図１】本発明の側面図である。
【図２】本発明の後方から見た要部切除した斜視図である。
【符号の説明】
１　脚
２　尻板
３　ひじ掛け
４　背当て
５　鈎形作動板
６　支点軸
７　てこ板
８　座ぐり穴
９　押圧突起
１０　湾曲押し板
１１　作動軸
１２　ルーズピン
１２ａ　ばか穴
１３　押圧板
１４ａ　座ぐり穴
１４　ばね付き押圧突起
【図１】
2004057757.tif 000003
【図２】
2004057757.tif 000004
(57)【要約】【課題】盲人用杖の先端にベアリングをつけた用具を提供します。【解決手段】中空の杖（１）の下部に隔壁（２）を設け、その下部にベアリング（３）を装着することを特徴とする。【選択図】　図２
2004057755.tif 000002
【特許請求の範囲】
【請求項１】
中空の杖（１）の先端下部に隔壁（２）を設け、その下部にベアリング（３）を装着した盲人用ベアリング付杖
【発明の詳細な説明】
【０００１】
【発明の属する技術分野】
この発明は、盲人用杖の先端にベアリングをつけた、盲人用ベアリング付杖に関するものである。
【０００２】
【従来の技術】
従来、盲人用杖の先端は単なる棒の先であった。
【０００３】
【発明が解決しようとする課題】
これには次のような欠点があった。
（イ）盲人の方が杖を使って歩く時に、杖の先端を宙に浮かす必要があった。
（ロ）手首で杖を支えるために重みが加わり、手首をいためる可能性があった。
本発明は、これらの欠点を除くためになされたものである。
【０００４】
【課題を解決するための手段】
中空の杖（１）の先端下部に隔壁（２）を設け、その下部にベアリング（３）を装着する。
本発明は、以上のような構成よりなる盲人用ベアリング付杖である。
【０００５】
【発明の実施の形態】
以下、本発明の実施例について説明する。
（イ）中空の杖（１）の下部に、横長方向に隔壁（２）を設ける。
（ロ）隔壁（２）の下部に、球体のベアリング（３）を回転自在になる様に装着する。
（ハ）ベアリング（３）が落ちないように、中空の杖（１）の最先端を少し内側に折り曲げる。
本発明は以上のような構造で、これを使用する時は盲人の方はたえず杖の先端を地面に接地させて歩くことができる。ベアリングが回転をし、接地面に点として接するので、押しながら道路の起伏を知ることができる。
【０００６】
【発明の効果】
（イ）杖の重さが常時手首にかからないため、手首をいためない。
（ロ）杖の先端が絶えず接地しているので、道路の状況が常に感知できる。
【図面の簡単な説明】
【図１】本発明の斜視図である。
【図２】本発明の部分拡大図である。
【符号の説明】
１中空の杖
２隔壁
３ベアリング
【図１】
2004057755.tif 000003
【図２】
2004057755.tif 000004
(57)【要約】［課題］現在の効率の悪い加熱乾燥式の乾燥機に代えて、効率の良い非排熱式の乾燥機は開発できないものか。［解決手段］扉の密閉できる乾燥用庫に、洗濯物からの蒸発を促して、その蒸発水分を吸引排出するように、ファン式を含む電動真空ポンプを設けた、バキュームドライヤーと呼ぶことにする、洗濯物真空乾燥機。【選択図】なし。【特許請求の範囲】
【請求項１】
扉の密閉できる乾燥用庫に、洗濯物からの蒸発を促して、その蒸発水分を吸引排出するように、ファン式を含む電動真空ポンプを設けた、バキュームドライヤーと呼ぶことにする、洗濯物真空乾燥機。
【発明の詳細な説明】
【０００１】
［発明の属する技術分野］
洗濯物の乾燥機である。
【０００２】
［従来の技術］
従来、洗濯物乾燥機は電気式とガス式があるが、いずれも洗濯物を熱して水分を蒸発させるもので、熱い湿気の処理に困る場合が多かった。そして案外時間が掛かり、乾き難いものであった。それは病院などの乾燥室も同じであるが、温度は加えたいし、蒸発した湿気は排除したいのであるが、排気を行なうと庫や室の温度が下がり、加熱効果が低下する。この両者をなかなか上手く両立させることが困難であった。
私は以前電子レンジと同じようにマグネトロンを用いた洗濯乾燥機を発明し、数社に提案したことがあるが、採用されず、今日も依然実用化されていない。この方式の「電子乾燥機」だと加熱と排気が両立しうる。
【０００３】
［発明が解決しようとする課題］
住宅にマンションの占める割合が高くなり、洗濯物を戸外に干すことが難しくなった。開放的でないマンションでも使い易い、排熱の無い洗濯物乾燥機があれば好いと、以前から考えていた。
【０００４】
［課題を解決するための手段］
昨日燃料電池の根本的に新しい方式のものを発案し研究していて、それに真空蒸発を用いることを思い付き、「現代新百科事典（学研）」を調べてみると、真空に於ける諸性質は種々のものに応用され、その一性質の「水分の蒸発などを促進することは真空乾燥などに」用いられることが判り、その私の案は実用できることが判ると同時に「洗濯物真空乾燥機」が開発できることが判った。
その発明の構成は「特許請求の範囲」に簡潔に述記してある。
尚、家庭用では下記の計算例でも判るように余り大きなものは要らないので、出来ることならファン式にしたい。
今、一辺５０センチの正立方体の庫の中に１リットルの水分を含んだ洗濯物を庫の容積の３分の２を占めるように入れて真空乾燥を行なう場合を見てみると、
2004057751.tif 000002
【０００５】
［発明の効果］
最初にも述べたように、現在の特に都会の生活人は干し物竿で洗濯物を干すことはなかなか困難な状態にある。しかし生活が高度化しているので、洗濯の量と回数は増えている。
狭い住宅環境の中で大量に排熱・排気することは困難である。本発明も排気することには変わりはないが、熱を出さないので、部屋の換気扇を回したり、エアコンで除湿したりしながら使用できるので、従来の加熱蒸発式のものよりはずっと使用性が高い。コンパクトで騒音の少ないものを開発し、世界の生活人に広く提供したい。
尚、「電子乾燥機」も湿気と共に熱を排出するが、十分に風を送ることが出来るので、大変効率の好いものとなるので、本発明の対抗馬として考えてみることにしたい。
又、業務用の洗濯物乾燥機も全て加熱乾燥式のようであるので、この分野にも立派なものを開発提供したい。
【図面の簡単な説明】
図面は本発明の説明上必要でないので省略する。
(57)【要約】【目的】カーテンワイヤーの長さ調節の為の切断をせずにカーテンワイヤーをカラーボックスなどに簡単に張設できることを提供する。【構成】張設金具（１）には先端部（２）架設部（３）コーナー部（１０）と係止部（４）を設け固定台（８）に係止孔（９）を設けた、調節金具（５）の一端に調節用圧刻部（６）をもう一端に架設回転ツマミ（７）を設け、カーテンワイヤー（１３）の両端の芯部にねじ込み架設部（３）に架設し張設する構成とした。【選択図】　図１
2004057767.tif 000002
【特許請求の範囲】
【請求項１】
針金の一端に螺旋状の調節用圧刻部（６）、もう一端に架設回転ツマミ（７）を設けた、調節金具（５）。
【請求項２】
先端部（２）コーナー部（１０）と係止部（４）を設け架設部（３）を固着し、係止孔（９）を固定台（８）に設けた請求項１の張設金具（１）。
【発明の詳細な説明】
【０００１】
【産業上の利用分野】
本発明は、カーテンワイヤーの長さ調節及び張設保持するための金具に関するものである。
【０００２】
【従来の技術】
従来のカーテンワイヤーの張設には、カーテンワイヤーの両端にヨートーを引っ掛けヒートンに架設する仕組みである、しかしカラーボックスなどへの取付けの時、ヒートンをカラーボックスにねじ込みする際にカラーボックスの材質によりヒートンが確実に固定できない事が多く、カーテンワイヤーの長さ調節には専用の切断ペンチが必要で、あり素人には難しく、張設が出来ずに中心部分が緩み垂れ下がった状態であった。
【０００３】
【発明が解決しようとする課題】
カーテンワイヤーの長さ調節のための切断をせずに、カーテンワイヤーをカラーボックスなどに簡単確実に張設できることを課題とした。
【０００４】
【課題を解決しようとするための手段】
上記目的を達成するために、本発明はカーテンワイヤー（１３）の両端に架設回転ツマミ（７）を設けた調節金具（５）をねじ込み、張設金具（１）には先端部（２）架設部（３）と係止部（４）を設けた、架設回転ツマミ（７）を架設部（３）に架設し係止部（４）を固定台（８）の係止孔（９）に係止し張設する手段とした。
【０００５】
【作用】
カーテンワイヤー（１３）の鋼線を螺旋状に巻いた特長を利用するため、調節金具（５）の一端に内部螺旋円の内径よりも一部分太めに圧刻した楕円部分に溝を設けた調節用圧刻部（６）を両端の芯部にねじ込みカラーボックスの張設間隔より短く調節する、螺旋の内径より調節用圧刻部（６）が太いために引っ掛かりその部分でカーテンワイヤー（１３）の長さの調節ができる。
【０００６】
固定台（８）をカラーボックス枠板（１２）の左右両側面に固定し係止部（４）を係止孔（９）に係止する事で、張設時に張設金具（１）の移動を止める。
【０００７】
張設金具（１）の鋭角にしたコーナー部（１０）を基点として係止部（４）より先端部（２）を長くする事で張設時にカラーボックス棚板（１１）に先端部（２）が当接し円の中心となり係止部（４）が外側に円回転する時の角度を少なくしその力を弱める、以上の状態で左右の張設金具（１）の架設部（３）に調節金具（５）をねじ込んだカーテンワイヤー（１３）を架設し張設する事で係止部（４）が係止孔（９）に係止されカラーボックスの中心に向かって押圧される。
【０００８】
【実施例】
本発明の実施例については、カーテンワイヤー（１３）の芯部の螺旋の溝及び山の内径よりも一部分を圧刻し太く延ばし溝を設けた調節用圧刻部（６）を調節金具（５）の一端に設け、カーテンワイヤー（１３）の芯部にねじ込むと芯内部の螺旋の溝及び山に調節用圧刻部（６）の溝と山が食い込み芯部を膨らます状態になり、芯部の螺旋内径の形状になじんで変形していき、カーテンワイヤー（１３）に調節用圧刻部（６）が引っ掛かり張設できる状態になる。
【０００９】
調節金具（５）を架設回転ツマミ（７）で回転させ、カーテンワイヤー（１３）の両端の芯部にねじ込み、総長をカラーボックスの張設間隔より短くなるように調節をしておき、架設回転ツマミ（７）を架設部（３）に架設する。
【００１０】
張設金具（１）には先端部（２）コーナー部（１０）係止部（４）を設け架設部（３）を固着し設けた、一方係止させる為の係止孔（９）を設けた固定台（８）をカラーボックス枠板（１２）の左右両側面に固定する。
【００１１】
調節金具（５）を両端の芯部にねじ込んだカーテンワイヤー（１３）を片方の張設金具（１）の架設部（３）に架設回転ツマミ（７）を架設し係止部（４）を係止孔（９）に係止する、もう一方も前記と同様に架設し張設金具（１）の係止部（４）を係止孔（９）に引っ張りながら係止する。
【００１２】
左右の張設金具（１）はカーテンワイヤー（１３）の引きバネの張力により引き合う、と同時に先端部（２）が円の中心となり係止部（４）が外側に回転する動きが生じるが、その力は鋭角にしたコーナー部（１０）を介して係止部（４）が係止孔（９）に係止され固定台（８）をカラーボックス側に向かって押圧する力となり張設される。
【００１３】
コーナー部（１０）の角度を鋭角にする事で係止部（４）が係止された時、張設金具（１）の引っ張り強度を増し、安定度が増す。
【００１４】
【発明の効果】
本発明は、窓に使用するカーテンに比べて使用する距離が短いためにコンパクトな取付けが要求される、カーテンワイヤー（１３）を左右の張設金具（１）に架設し固定台（８）に引っ張りながら係止することで中心部分の緩みが無くなり取付けも簡単になった、又、カーテンワイヤー（１３）が緩んでくれば架設回転ツマミ（７）をねじ込み調節すれば切断の必要がなく簡単に元通りの状態に張設できる、従来に無い全く新しい張設構造である。
【図面の簡単な説明】
【図１】調節金具及び張設金具の分解及び一部切欠斜視図
【図２】調節金具の正面図
【図３】調節金具の平面図
【図４】調節金具の拡大右側面図
【図５】張設金具の正面図
【図６】張設金具の平面図
【図７】張設金具の右側面図
【図８】張設金具固定台の正面図
【図９】張設金具固定台の平面図
【図１０】張設金具固定台の右側面図
【符号の説明】
（１）　張設金具
（２）　先端部
（３）　架設部
（４）　係止部
（５）　調節金具
（６）　調節用圧刻部
（７）　架設回転ツマミ
（８）　固定台
（９）　係止孔
（１０）コーナー部
（１１）カラーボックス棚板
（１２）カラーボックス枠板
（１３）カーテンワイヤー
【図１】
2004057767.tif 000003
【図２】
2004057767.tif 000004
【図３】
2004057767.tif 000005
【図４】
2004057767.tif 000006
【図５】
2004057767.tif 000007
【図６】
2004057767.tif 000008
【図７】
2004057767.tif 000009
【図８】
2004057767.tif 000010
【図９】
2004057767.tif 000011
【図１０】
2004057767.tif 000012
(57)【要約】【目的】脚の回旋負荷に対する膝とつま先の同方向保持力の測定。【構成】被験者の足を乗せる回旋台１を軸着した基台２内に、測定者が加える回旋力を伝えるチェーン８の張力により作動するゲージバー１７を設け、基台２上に膝の向きを見る、立ち見定規５を設ける。【選択図】　　　　　図２
2004057766.tif 000002
【特許請求の範囲】
【請求項１】
被験者の足を乗せる回旋台を基台に軸着し、該回旋台軸と測定者が操作する回旋負荷軸を、チェーンで連動し、該チェーンの張力により作動する、作動レバーを設け、作動レバーの作動力を機械量、又は電気量として検出表示し、被験者の膝の向きを立ち見定規により判定する、膝とつま先の同方向保持力測定機。
【請求項２】
回旋負荷軸をロックレンチにより固定し、被験者自身により測定する請求項１記載の膝とつま先の同方向保持力測定機。
【発明の詳細な説明】
【０００１】
【産業上の利用分野】
本発明は、スポーツ障害で膝や足関節捻挫等の外傷要因として知られている、脚の回旋動作時に膝頭の向きがつま先の向きに対して内側や外側を向いてしまう同方向保持力の測定に関するものである。
【０００２】
【従来の技術】
従来、膝とつま先の同方向保持力は、理学療法士や運動指導者の観察により判定評価されていた。
【０００３】
【発明が解決しようとする課題】
従来の判定評価は、測定者の技術による主観であるため客観性に欠ける問題を有していた。
【０００４】
【課題を解決するための手段】
上記目的を達成するために、本発明における膝とつま先の同方向保持力を測定する装置は、被験者の測定する脚にかかとを軸にした回旋負荷を加えていき、回旋負荷に対する、膝とつま先の同方向保持力を、立ち見定規とトルク計により測定評価する。
【０００５】
【作用】
測定者が操作する回旋負荷軸からチェーンにより伝わる負荷は、回旋台に乗せた被験者の脚の負荷抗力に比例してチェーンに張力を与える。該チェーンの張力は、チェーンに接して設けた作動レバーに伝わり、該作動レバーの作動によりゲージバーを作動させトルクとして表示する。
【０００６】
【実施例】
実施例について図面を参照して説明する。
図１〜図３において、平面円形の回旋台１は基台２にベアリングを介在して回動自在に軸着している。チェーン８は、回旋台１の軸に固着したチェーンスプロット９と回旋負荷軸３に固着したチェーンスプロケット１０に巻架される。又、巻架したチェーン８の内側に正転負荷時のチェーン８の張力を検出するスプロケット１１と、外側に反転負荷時のチェーン８の張力を検出するスプロケット１２を張設している。
【０００７】
チェーン８に張設したスプロケット１１，１２は、ブラケット１３に軸着した作動レバー１４に各々軸着し、チェーン８の張力に比例して作動レバー１４を変位させる。作動レバー１４の変位角は連結ロット１５を介して、ブラケット１６に軸着したゲージバー１７を増幅して変位させる。
【０００８】
ゲージバー１７は、回旋負荷軸３から伝わるトルク量を正確に反映表示させるため、調節バネ１８により調整される。
【０００９】
又、作動レバー１４の変位量は、ロードセルや圧力センサー等を使用して電気量及び圧力として検出しトルク量に換算して表示することもできる。
【００１０】
【発明の効果】
本発明は。上記の構成により、被験者の足のかかとを回旋台の回旋軸に置き、測定者が回旋負荷軸より被験者のつま先に内旋及び外旋の負荷を加え、被験者の膝の向きを立ち見定規で見ながら、回旋台に加えたトルク量を測定することにより、被験者の膝とつま先の同方向保持力を客観的に測定評価することができる。
【図面の簡単な説明】
【図１】本発明に係る回旋負荷装置の底部断面図である。
【図２】請求項１の使用状態を示す縦断側面図である。
【図３】請求項２の使用状態を示す上面図である。
【符号の説明】
１　回旋台
２　基台
３　回旋負荷軸
４　レンチ
５　立ち見定規
６　ゲージ表示部
７　ロックレンチ
８　チェーン
９，１０，１１，１２　チェーンスプロケット
１３，１６　ブラケット
１４　作動レバー
１５　連結ロット
１７　ゲージバー
１８　調節バネ
【図１】
2004057766.tif 000003
【図２】
2004057766.tif 000004
【図３】
2004057766.tif 000005
(57)【要約】【課題】洗濯機の遠心脱水時の異常振動を感知して動作する安全スイッチにおいて、従来、蓋連動スイッチと洗濯槽異常振動を感知する安全スイッチを兼ねたスイッチは構造が複雑で動作が不安定であった。【解決手段】洗濯機の遠心脱水運転時の異常振動を感知して動作する安全スイッチにおいて、洗濯機本体の枠体に取り付けて設けた安全スイッチ本体と、洗濯機本体内に防振機構により懸垂支持した脱水受け槽の異常振動を感知して前記安全スイッチを作動させる下方突出レバーを備え、下方突出レバーは安全スイッチ本体の支持点で回転自在に支持し、下方突出レバーの回転支持点の上方にはスイッチ接点の開閉レバー部を併設し、この開閉レバー部を挟んで、可動方向に平行に、相対する２枚の接点板を設け、開閉レバーの摺動により、２枚の接点板を開閉する安全スイッチとし、更に、洗濯機の洗濯物投入口の蓋に連動して、前記の相対する２枚の接点板の外側面に位置して設けた蓋連動レバーの摺動により、２枚の接点板を開閉することを特徴とする洗濯機の安全スイッチ。【選択図】　　　　　　　図１
2004057762.tif 000002
【特許請求の範囲】
【請求項１】
洗濯機の遠心脱水運転時の異常振動を感知して動作する安全スイッチにおいて、洗濯機本体の枠体に取り付けて設けた安全スイッチ本体と、洗濯機本体内に防振機構により懸垂支持した脱水受け槽の異常振動を感知して前記安全スイッチを作動させる下方突出レバーを備え、下方突出レバーは安全スイッチ本体の支持点で回転自在に支持し、下方突出レバーの回転支持点の上方にはスイッチ接点の開閉レバー部を併設し、この開閉レバー部を挟んで、可動方向に平行に、相対する２枚の接点板を設け、開閉レバーの摺動により、２枚の接点板を開閉する安全スイッチとし、更に、洗濯機の洗濯物投入口の蓋に連動して、前記の相対する２枚の接点板の外側面に位置して設けた蓋連動レバーの摺動により、２枚の接点板を開閉することを特徴とする洗濯機の安全スイッチ。
【発明の詳細な説明】
【０００１】
【発明の属する技術分野】
本発明は洗濯機の安全スイッチに関するものである。
【０００２】
【従来の技術】
従来、蓋連動スイッチと洗濯槽異常振動を感知する安全スイッチを兼ねたスイッチは構造が複雑で動作が不安定であった。
【０００３】
【発明が解決しようとする課題】
本発明は従来の構造複雑、動作不安定の課題を解決しようとするものである。
【０００４】
【課題を解決するための手段】
本発明はこの課題を解決しようとするものである。即ち、洗濯機の遠心脱水運転時の異常振動を感知して動作する安全スイッチにおいて、洗濯機本体の枠体に取り付けて設けた安全スイッチ本体と、洗濯機本体内に防振機構により懸垂支持した脱水受け槽の異常振動を感知して前記安全スイッチを作動させる下方突出レバーを備え、下方突出レバーは安全スイッチ本体の支持点で回転自在に支持し、下方突出レバーの回転支持点の上方にはスイッチ接点の開閉レバー部を併設し、この開閉レバー部を挟んで、可動方向に平行に、相対する２枚の接点板を設け、開閉レバーの摺動により、２枚の接点板を開閉する安全スイッチとし、更に、洗濯機の洗濯物投入口の蓋に連動して、前記の相対する２枚の接点板の外側面に位置して設けた蓋連動レバーの摺動により、２枚の接点板を開閉することを特徴とする洗濯機の安全スイッチである。
【０００５】
【発明の実施の形態】
以下、本発明の実施例について、図１、図２に基づいて説明する。
図１は本発明の実施例の平面図と側断面図を示している。図２は安全スイッチを洗濯機の枠体２に取り付けた関係図である。
図１に示す安全スイッチ本体１は図２に示すように洗濯機の枠体２に取り付けて設けている。洗濯機本体の防振機構３により懸垂支持した脱水受け槽４の異常振動を感知して、安全スイッチ本体１を作動させる下方突出レバー５は安全スイッチ１の支持点６で回転支持されている。この下方突出レバー５の上方端には、スイッチ接点板７、８の開閉操作をする開閉レバー部９を併設している。スイッチの接点板７、８はこの開閉レバー部９を挟んで開閉レバー部９の可動方向に平行に安全スイッチ本体１内に図１のように設けている。従って、脱水受け槽４が異常振動して、右へ大きく振れると、下方突出レバー５は右へ振れて図１の点線位置に動き、安全スイッチ１内の接点板７、８は互いに離れ、洗濯機は安全に脱水回転を停止する。更に、洗濯機の洗濯物投入口の蓋１０に連動して、前記の相対する２枚の接点板の外側面に位置して設けた蓋連動レバー１１は、蓋１０を閉じると、蓋連動レバー１１の蓋１０との当接部１１’が当たり、蓋連動レバー１１は回転支持部１２を中心に図１の点線位置に回転し、蓋連動レバー１１は右方向へ摺動し、接点板７、８を閉じる。従って、一対の接点板７、８を開閉レバー部９と蓋連動レバー１１それぞれの作動により、蓋開閉スイッチ機構と脱水異常感知の安全スイッチ機構を兼ね備えた、構造簡単で、動作確実な安全スイッチが提供できる。
以下、動作について詳述する。図１において、蓋１０を閉じると蓋連動レバー１１の当接部１１’が当たり、蓋連動レバー１１は回転支持部１２を中心に図１の点線位置に回転し、蓋連動レバー１１は右方向へ摺動し、接点板７を図１の点線位置に押し曲げて、実線位置の接点板８に当接し、接点を閉じて、洗濯機は運転を開始する。次ぎに、洗濯機が異常振動して、脱水受け槽４が下方突出レバー５を図１に示す点線位置に押すと、開閉レバー部９が図１の左方向の点線位置に摺動し、接点板８を点線位置に押しさげて、接点を開き、洗濯機は運転を停止する。
以上に詳述したように、蓋開閉スイッチ機構と脱水異常感知の安全スイッチ機構を兼ね備えた、構造簡単で、動作確実な安全スイッチである。
尚、１３は突出レバー５の復帰スプリング、１４は蓋連動レバー１１の復帰スプリングである。
【０００６】
【発明の効果】
以上説明のように、本発明の洗濯機の安全スイッチは、蓋開閉スイッチ機構と脱水異常感知の安全スイッチ機構を兼ね備えた、構造簡単で、動作確実な安全スイッチである。
【図面の簡単な説明】
【図１】本発明の実施例のスイッチ内部を示す平面図と側断面図を示している。
【図２】図２は安全スイッチを洗濯機の枠体２に取り付けた関係図である。
【符号の説明】
１　安全スイッチ本体
２　洗濯機の枠体
３　防振機構
４　脱水受け槽
５　下方突出レバー
６　回転支持点
７　スイッチ接点板
８　スイッチ接点板
９　開閉レバー部
１０　蓋
１１　蓋連動レバー
１２　回転支持部
１３　復帰スプリング
１４　復帰スプリング
【図１】
2004057762.tif 000003
【図２】
2004057762.tif 000004
(57)【要約】【課題】医療機関での患者情報の電子化が進む現代において、その情報を現場の人工透析機器へ有効活用する事で、業務の簡素化、情報の迅速化により、より確実でゆとりある診療行為をサポートするものとする。【解決手段】日々の人工透析治療において、ＬＡＮ回線などの通信手段により、情報表示画面を合せ持った人工透析器へ送る事で、ペーパーレスを可能とし、診察、治療行為の簡素化を図り、診療の充実を目指すものとする。【選択図】図１
2004057210.tif 000002
【特許請求の範囲】
【請求項１】
人工透析器において、前回処方や検査結果等の患者診療情報を、ホストコンピューターとの連携により、患者ベッドサイドにて、それら診療情報が確認、表示機能を持つ人工透析器。
【請求項２】
人工透析器において、ベッドサイドで個々の診療情報を入力、確認できる機能を持つ人工透析器。
【発明の詳細な説明】
【０００１】
【発明の属する技術分野】
人工透析医療において、ベッドサイドにて、日々診察行為におけるカルテや結果伝票などの用紙を用意する事なく、人工透析器に簡易の電子カルテ機能を付加する事で、看護婦などの医療従事者の業務軽減も可能とする。
【０００２】
近年の医療技術の発展にともない、医療機関において患者情報の電子化は半ば必須条件となっており、殆どの医療機関において情報の電子化は日々の診療行為などにおいて、浸透したものとなっている。その為、その情報をより効率的に有効利用する事を目指す。
【課題を解決するための手段】
現在、医療機関において電子カルテ化は徐々に浸透しつつあるが、それはある特定の医療現場に限られたものとなっており、その医療機関内において医事や診察室などと、一部の検査室に限られたものとなっており、医療機関の規模によりその事も千差万別である。今回のその発明は、電子化した患者情報を診療機器自体にその情報をオンラインで送信、受診し、人工透析器その物で患者情報を確認、利用する事で、業務の軽減と診療行為の迅速化を可能とする。
【０００３】
医事や診察室でコンピューターへ入力した、検査結果や処方内容などの患者情報を有効利用する電子カルテシステムは、現在では医療機関において大切なものとなっているが、一部の診療部門、特に人工透析治療においては、その患者情報を電子上から紙面へ印刷しカルテへ置き換える事で、診療行為へと利用している。本発明は、その情報を診療現場にて必要な情報を抽出し、ＬＡＮ回線などの通信手段を用いて、人工透析器に液晶モニタを付加、表示させ診療行為への有功利用目的とする。
【０００４】
【発明の効果】
電子化された患者情報をＬＡＮ回線などの通信手段を用い、人工透析器の医療機器自体へ表示させる事で、患者のベットサイドにて個々の情報を、診療機器と同時に確認出来る事で、業務の簡素化や従事者の業務軽減へと発展させ、よりリアルタイムな情報にて質の高い患者サービス、診療行為を可能とする。
【図面の簡単な説明】
【図１】図１は人工透析器へ表示させる液晶画面例の簡易図。
【符号の説明】
（１）−液晶画面
（２）−切り替えスイッチ
【図１】
2004057210.tif 000003
(57)【要約】【課題】天板の後部下方に設けた配線用ダクトを、体裁よく覆い、かつ天板の有効利用面積を減じないようにする。【解決手段】天板を、脚体１に固定された固定天板４と、その後側に突き合わせ状態で並置され、かつ脚体１および固定天板４に対して着脱可能とした分離天板５とからなるものとし、かつ分離天板５の下方に、横方向を向く配線用ダクト１４を配設する。【選択図】　　　　図２
2004057436.tif 000002
【特許請求の範囲】
【請求項１】
天板を、脚体に固定された固定天板と、その後側に突き合わせ状態で並置され、かつ脚体および固定天板に対して着脱可能とした分離天板とからなるものとし、かつ分離天板の下方に、横方向を向く配線用ダクトを配設したことを特徴とする配線用ダクト付き机。
【請求項２】
固定天板の下面に、その後方へ突出するようにして取り付けた支持杆上に、分離天板を支持したことを特徴とする請求項１記載の配線用ダクト付き机。
【請求項３】
支持杆の上面と分離天板の下面に、相互に係合しうる突起と凹部を設けたことを特徴とする請求項２記載の配線用ダクト付き机。
【請求項４】
配線用ダクトの前端部を、固定天板の下面に止着し、同じく後端部を、左右の脚体間に架設された横桟に止着したことを特徴とする請求項１〜３のいずれかに記載の配線用ダクト付き机。
【請求項５】
分離天板の材質および厚さを、固定天板のそれと同一としたことを特徴とする請求項１〜４のいずれかに記載の配線用ダクト付き机。
【発明の詳細な説明】
【０００１】
【発明の属する技術分野】
本発明は、天板の後部下方に、横方向を向く配線用ダクトを取り付けた机に関する。
【０００２】
【従来の技術】
机の天板の後側に、横方向を向く配線用ダクトを設けたものは、きわめて一般的であるが、このようなものにおいては、安全のため、また体裁保持のため、配線用ダクトの上面はカバーで覆われる。
【０００３】
このカバーは、従来は一般に合成樹脂製であり、かつ天板の有効面積を増すために、天板と同一面とされている。
【０００４】
【発明が解決しようとする課題】
上記した従来のカバーは、天板本体とは、材質や質感及び強度が異なるため、違和感があって、体裁はすぐれず、また負荷によって、撓んだり破損したりするおそれがあった。
【０００５】
さらに、天板面の有効利用のためには、カバーの奥行き寸法を、一定限度内としなければならず、そのため、配線用ダクトの奥行き寸法も制約されてしまう。
【０００６】
【課題を解決するための手段】
本発明は、従来の配線用ダクトを備える従来の机における上記した問題点を解消させることを目的とするもので、その具体的手段は、次の通りである。
（１）　天板を、脚体に固定された固定天板と、その後側に突き合わせ状態で並置され、かつ脚体および固定天板に対して着脱可能とした分離天板とからなるものとし、かつ分離天板の下方に、横方向を向く配線用ダクトを配設する。
【０００７】
（２）　上記（１）項において、固定天板の下面に、その後方へ突出するようにして取り付けた支持杆上に、分離天板を支持する。
【０００８】
（３）　上記（２）項において、支持杆の上面と分離天板の下面に、相互に係合しうる突起と凹部を設ける。
【０００９】
（４）　上記（１）〜（３）項のいずれかにおいて、配線用ダクトの前端部を、固定天板の下面に止着し、同じく後端部を、左右の脚体間に架設された横桟に止着する。
【００１０】
（５）　上記（１）〜（４）項のいずれかにおいて、分離天板の材質および厚さを、固定天板のそれと同一とする。
【００１１】
【発明の実施の形態】
図１は、本発明の机の一実施形態を示す平面図、図２は図１におけるＩＩ−ＩＩ線拡大縦断面図である。
【００１２】
左右の脚体（１）の上端には、前後方向を向く支持杆（２）が固着され、左右の支持杆（２）の前後方向の中間部同士は、断面角型の横桟（３）をもって連結されている。
【００１３】
支持杆（２）上には、その前端から、横桟（３）のやや後方まで延びる固定天板（４）が取付けられている。
【００１４】
固定天板（４）の後側において、左右の支持杆（２）（２）上には、固定天板（４）と同材質かつ等厚等幅の分離天板（５）が、固定天板（４）と突き合わせ状として、載置されている。
【００１５】
横桟（３）の上面は、支持杆（２）の上面よりやや下方にあり、横桟（３）には、上縁に水平折曲片（６）を有する支持ブラケット（７）の前端部の下縁より設けられた上向凹孔（８）が、上方から適正に嵌合され、かつ支持ブラケット（７）の上縁の水平折曲片（６）へ上方から挿入した皿頭ねじ（９）を、横桟（３）へ螺合することにより、支持ブラケット（７）は、前後および側方へ移動したり、上下に回動したりすることがないようにして、横桟（３）に取付けられている。
【００１６】
支持ブラケット（７）の上縁の後端には上向係合片（１０）が突設され、かつその前方には、下向凹孔（１１）が設けられている。
【００１７】
上向係合片（１０）は、分離天板（５）の後端部下面に穿設された受支孔（１２）へ係合し、下向凹孔（１１）には、分離天板（５）の下面要所に設けられた係合突起（１２）が係合している。
【００１８】
前記横桟（３）上には、後方へ向かって３段階に下降する配線ダクト（１４）の前端における前向片（１４ａ）が重合され、前記皿頭ねじ（９）を利用して、横桟（３）に固定されている。
【００１９】
配線ダクト（１４）の下降する後端角部、（１４ｂ）は、左右の脚体（１）を連結する連結杆（１５）の上面および後面に重合され、ビス（１６）をもって連結杆（１５）に止着されている。
【００２０】
【発明の効果】
各請求項に記載の発明の効果は次の通りである。
請求項１：分離天板を簡単に取り外して、その下方の配線ダクトへ、大量のケーブル等を容易に出し入れすることができる。また、固定天板の後部下方および分離天板の下方の空間を利用して、大寸の配線ダクトを装着することができ、しかも、天板全体としての有効面積が減ぜられることはない。
【００２１】
請求項２：固定天板の後側に、分離天板を突き合わせ状態で、安定よく取付けることができる。
【００２２】
請求項３：分離天板を、支持杆の所定個所へ、妄りに動くことがないようにして係合支持することができ、かつ分離天板の取付け取外しも簡単である。
【００２３】
請求項４：配線用ダクトの前後端部は安定よく支持され、その耐荷重性を大とすることができる。
【００２４】
請求項５：固定天板と分離天板との連続性は良くなり、使用上好都合となるとともに、デザイン的にも違和感のないものとすることができる。
【図面の簡単な説明】
【図１】本発明の机の一実施形態を示す平面図である。
【図２】図１におけるＩＩ−ＩＩ線拡大縦断面図である。
【符号の説明】
（１）脚体
（２）支持杆
（３）横桟
（４）固定天板
（５）分離天板
（６）水平折曲片
（７）支持ブラケット
（８）上向凹孔
（９）皿頭ねじ
（１０）上向係合片
（１１）下向凹孔
（１２）受支孔
（１３）係合突起
（１４）配線ダクト
（１４ａ）前向片
（１４ｂ）後端角部
（１５）連結杆
（１６）ビス
【図１】
2004057436.tif 000003
【図２】
2004057436.tif 000004